(57)【要約】【課題】引戸装置において、耐震構造を備えた戸袋部を提供する。【解決手段】戸袋部２の側壁２０、２１は、方立４、戸尻側縦枠６、複数本の横枠（上横枠５４、５５、中桟７、巾木８）によって形成された複数の四周枠部と、各四周枠部に設けたパネル９と、を有し、パネル９の上側の縁部が上側の横枠に固定されており、パネル９の下側の縁部は、下側の横枠に、当該枠の長さ方向に移動可能な状態で係止されている。パネル９の側方の縁部は、方立４、戸尻側縦枠６に対して固定されていない。【選択図】図４
2020029737.tif 000002
【特許請求の範囲】
【請求項１】
対向する側壁と前記側壁間に形成された扉体の収納空間とからなる引戸の戸袋部において、
各側壁は、戸袋部の出入口側の第１縦枠と、戸袋部の底側の第２縦枠と、前記第１縦枠と前記第２縦枠間を水平状に架け渡すように異なる高さ位置で前記第１縦枠、前記第２縦枠に固定された少なくとも２本の横枠とからなる少なくとも１つの四周枠部と、前記４周枠部に囲まれた空間に取り付けられる少なくとも１枚の方形パネルと、有し、
前記方形パネルは、四周の縁部のうちの１つの縁部のみが、前記第１縦枠、前記第２縦枠、２本の横枠のいずれか１つの枠に固定され、前記１つの縁部が固定された枠に対向する枠には、前記方形パネルの前記１つの縁部に対向する他の１つの縁部が当該枠の長さ方向に移動可能な状態で係止されている、
引戸の戸袋部構造。
【請求項２】
前記方形パネルの四周の縁部のうち前記１つの縁部及び前記他の１つの縁部以外の２つの辺の縁部は、
前記方形パネルの前記１つの縁部が固定される枠及び前記他の１つの縁部が係止される枠以外の２つの枠の夫々に対して、当該方形パネルの前記移動を許容する状態で当接している、
請求項１に記載の引戸の戸袋部構造。
【請求項３】
前記方形パネルの前記１つの縁部は上縁部、前記他の１つの縁部は下縁部であり、
前記１つの縁部が上側の横枠に固定され、前記他の１つの縁部が下側の横枠に当該下側の横枠の長さ方向に移動可能に係止されている、
請求項１、２いずれか１項に記載の戸袋部構造。
【請求項４】
前記方形パネルの左右の側縁部は見付面と見込面を備え、前記見込面は前記方形パネルの左右の側端面を形成しており、
前記左右の側縁部は、前記第１縦枠、前記第２縦枠に前記見付面において当接しており、前記左右の側縁部が前記第１縦枠、前記第２縦枠に当接した状態において、前記見込面の外側には空間が形成されている、
請求項３に記載の戸袋部構造。
【請求項５】
前記方形パネルの前記他の１つの縁部と当該他の１つの縁部が係止される枠のいずれか一方には突出部が、いずれか他方には前記突出部を受け入れる長孔部が形成されており、前記長孔部は前記突出部の幅寸法よりも大きい寸法を有している、
請求項１〜４いずれか１項に記載の戸袋部構造。
【請求項６】
前記突出部は方形パネルの前記他の１つの縁部に形成されており、前記長孔部は当該他の１つの縁部が係止される枠に形成されている、
請求項５に記載の戸袋部構造。
【請求項７】
前記パネルの一方の見込面と前記第１縦枠との間には高さ方向に延びるクリアランスが形成されており、
前記第１縦枠は、前記横枠の端部を固定するための見付片を備えており、前記見付片の上下に隣接して横枠受け入れ用空間が形成されており、
前記横枠の端部を前記見付片に固定した状態において、前記横枠の部分が前記横枠受け入れ用空間内に位置すると共に、前記横枠の部分と前記横枠受け入れ用空間との間に隙間が形成されており、
前記隙間は、正面視において前記クリアランスと部分的に重なっており、
少なくとも一方の側壁を構成する前記横枠の端部には、前記隙間を塞ぐ塞ぎプレートが設けてある、
請求項４に記載の戸袋部構造。
【発明の詳細な説明】
【技術分野】
【０００１】
本発明は、引戸の戸袋部の構造に関するものである。
【背景技術】
【０００２】
戸袋部は、対向する側壁と前記側壁間に形成された扉体の収納空間とからなるが、各側壁は、戸袋部の出入口側の方立と、戸袋部の底側の戸尻側縦枠と、方立と戸尻側縦枠間に架け渡された上横枠、中桟、巾木と、から四周枠部が形成されている。
【０００３】
中桟の長さ方向両端部は夫々１本の螺子で方立、戸尻側縦枠に連結されているため、地震等によって面内方向に力が加わった時には、上記四周枠部がほぼ平行四辺形に変形するようになっている。
【０００４】
ここで、防火仕様の引戸の戸袋部では、上記四周枠部に形成された開口をパネルで塞ぐようにしている。図１２、図１３は従来の引戸装置を示しており、引戸の閉鎖姿勢時には、戸先側縦枠３´と方立４´と上枠５´と床面で形成された開口部を扉体１´が閉鎖し、引戸の開放姿勢時には、扉体１´が戸袋部に収納される。戸袋部の側壁の構造体において、上横枠５４´、中桟７´、巾木８´、方立４´、戸尻側縦枠６´から四周枠部が形成されており、四周枠部の開口にはパネル９´が隙間なく配置され、かつ、パネル９´の四辺を、四周枠部の上横枠５４´、中桟７´、巾木８´、方立４´、戸尻側縦枠６´に螺子Ｓで固定している。図１３に示すように、パネル９´の戸先側見込面は、方立４´の見込面４５´に当接しており、パネル９´の戸尻側見込面は内側ボード２４´の端面に当接している。類似の構造が、特許文献１（図３）にも記載されている。
【０００５】
この場合、壁部分が平行四辺形に変形しようとするのに対して、四周枠部の変形がパネルによって規制されるため、四周枠部と壁体の他の構造体との接続部位（例えば、戸尻側縦枠と壁体の補強部材との溶接部分）に大きな力が作用し、接続（溶接）が破壊してしまうおそれがあった。
【特許文献１】特許第６１６６５６６号
【発明の開示】
【発明が解決しようとする課題】
【０００６】
本発明は、引戸装置において、耐震構造を備えた戸袋部を提供することを目的とする。
【課題を解決するための手段】
【０００７】
本発明が採用した技術手段は、
対向する側壁と前記側壁間に形成された扉体の収納空間とからなる引戸の戸袋部において、
各側壁は、戸袋部の出入口側の第１縦枠と、戸袋部の底側の第２縦枠と、前記第１縦枠と前記第２縦枠間を水平状に架け渡すように異なる高さ位置で前記第１縦枠、前記第２縦枠に固定された少なくとも２本の横枠とからなる少なくとも１つの四周枠部と、前記４周枠部に囲まれた空間に取り付けられる少なくとも１枚の方形パネルと、有し、
前記方形パネルは、四周の縁部のうちの１つの縁部のみが、前記第１縦枠、前記第２縦枠、２本の横枠のいずれか１つの枠に固定され、前記１つの縁部が固定された枠に対向する枠には、前記方形パネルの前記１つの縁部に対向する他の１つの縁部が当該枠の長さ方向に移動可能な状態で係止されている、
引戸の戸袋部構造、である。
【０００８】
１つの態様では、前記少なくとも２本の横枠は、前記第１縦枠と前記第２縦枠の上端間に設けられた上横枠と、前記第１縦枠と前記第２縦枠の下端間に設けられた巾木と、上横枠と巾木の間に位置して、前記第１縦枠と前記第２縦枠の間に設けられた少なくとも１本の中桟からなり、少なくとも２つの四周枠部が形成されている。
１つの態様では、２本以上の中桟を備え、３つ以上の四周枠部が形成されている。
前記第１縦枠は、いわゆる方立であり、対向する方立間に戸袋部の出入口が形成されている。
１つの態様では、前記第２縦枠は共通部材（戸尻側縦枠）であり、前記複数の横枠のうちの少なくとも一部の横枠（例えば、中桟や巾木）において、戸尻側縦枠のそれぞれの見付面に当該横枠の長さ方向の一端が固定され、戸尻側縦枠の見込面が前記戸袋部の底部となっている。
１つの態様では、引戸の戸袋部及び開口部の上方には、引戸の扉体を吊持するレール等を収容する上枠が設けてあり、上枠の戸尻側端部は戸尻側縦枠に固定されており、前記上横枠の戸尻側が前記上枠に固定されており、前記上横枠の戸尻側端部が前記戸尻側縦枠に当接ないし近接している。
【０００９】
１つの態様では、前記方形パネルの四周の縁部のうち前記１つの縁部及び前記他の１つの縁部以外の２つの辺の縁部は、
前記方形パネルの前記１つの縁部が固定される枠及び前記他の１つの縁部が係止される枠以外の２つの枠の夫々に対して、当該方形パネルの前記移動を許容する状態で当接している。
【００１０】
１つの態様では、前記方形パネルの前記１つの縁部は上縁部、前記他の１つの縁部は下縁部であり、
前記１つの縁部が上側の横枠に固定され、前記他の１つの縁部が下側の横枠に当該下側の横枠の長さ方向に移動可能に係止されている。
【００１１】
１つの態様では、前記方形パネルの左右の側縁部は見付面と見込面を備え、前記見込面は前記方形パネルの左右の側端面を形成しており、
前記左右の側縁部は、前記第１縦枠、前記第２縦枠に前記見付面において当接しており、前記左右の側縁部が前記第１縦枠、前記第２縦枠に当接した状態において、前記見込面の外側には空間が形成されている。
１つの態様では、パネルの一方の見込面の外側には、前記第１縦枠の見込面との間に位置してクリアランス（Ｃ１）が形成されており、他方の見込面の外側には、壁体を構成する内側ボードの端面との間に位置してクリアランス（Ｃ２）が形成されている。
１つの態様では、前記パネルの一方の見込面（９５）と前記第１縦枠との間には高さ方向に延びるクリアランス（Ｃ１）が形成されており、
前記第１縦枠は、前記横枠の端部を固定するための見付片（４６）を備えており、前記見付片（４６）の上下に隣接して横枠受け入れ用空間（４６０）が形成されており、
前記横枠の端部を前記見付片（４６）に固定した状態において、前記横枠の部分が前記横枠受け入れ用空間（４６０）内に位置すると共に、前記横枠の部分と前記横枠受け入れ用空間（４６０）との間に隙間（Ｃ３）が形成されており、
前記隙間（Ｃ３）は、正面視において前記クリアランス（Ｃ１）と部分的に重なっており（図９（Ｃ）、図１０（Ｃ）参照）、
少なくとも一方の側壁（２０、２１）を構成する前記横枠の端部には、前記隙間を塞ぐ塞ぎプレート（７９）が設けてある
【００１２】
１つの態様では、前記方形パネルの前記他の１つの縁部と当該他の１つの縁部が係止される枠のいずれか一方には突出部が、いずれか他方には前記突出部を受け入れる長孔部が形成されており、前記長孔部は前記突出部の幅寸法よりも大きい寸法を有している。
１つの態様では、前記突出部は方形パネルの前記他の１つの縁部に形成されており、前記長孔部は当該他の１つの縁部が係止される枠に形成されている。
【発明の効果】
【００１３】
本発明では、戸袋部の側壁を形成する四周枠部の開口をパネルで塞ぐ構造でありながら、側壁に面内方向に力が加わった際に、四周枠部の変形を許容することで、四周枠部を構成する部材（例えば、戸尻側縦枠）と壁体の補強部材との接続部（例えば、溶接部）が破壊されることを防止する。
【図面の簡単な説明】
【００１４】
【図１】本実施形態に係る引戸装置（全閉姿勢）を第１側から見た正面図である。
【図２】本実施形態に係る引戸装置（全閉姿勢）を第２側から見た正面図である。
【図３】本実施形態に係る引戸装置（全閉姿勢）の開口部における縦断面図である。
【図４】本実施形態に係る引戸装置（全閉姿勢）の戸袋部における縦断面図である。
【図５】上図は、本実施形態に係る引戸装置（全閉姿勢）のパネル部位の横断面図である。下図は、本実施形態に係る引戸装置（全閉姿勢）の中桟部位の横断面図である。
【図６】第２側の中桟を示す図である。
【図７】第１側の中桟を示す図である。
【図８】パネルを示す図であり、（Ａ）は裏側から見た正面図、（Ｂ）は側面図、（Ｃ）は図８（Ａ）におけるＣ−Ｃ線縦断面図、（Ｄ）は図８（Ａ）の下方部位の部分拡大図、（Ｅ）は図８（Ａ）の部分拡大底面図、（Ｆ）は図８（Ａ）のＦ−Ｆ線横断面図、である。
【図９】第１側の中桟の戸先側部位と方立との連結を示す図であり、（Ａ）は方立のみを示し、（Ｂ）は方立に中桟が連結された状態を示し、（Ｃ）は方立にさらにパネルが取り付けられた状態を示す。
【図１０】第２側の中桟の戸先側部位と方立との連結を示す図であり、（Ａ）は方立のみを示し、（Ｂ）は方立に中桟が連結された状態を示し、（Ｃ）は方立にさらにパネルが取り付けられた状態を示す。
【図１１】（Ａ）は図９のＡ−Ａ線断面図、（Ｂ）は図９のＢ−Ｂ線断面図である。
【図１２】従来の引戸装置（全閉姿勢）を第１側から見た正面図である。
【図１３】従来の引戸装置（全閉姿勢）のパネル部位の横断面図である。
【発明を実施するための形態】
【００１５】
図１は、全閉姿勢にある引戸装置を第１側から見た正面図であって、図２は、同引戸装置を第２側から見た正面図であり、左右方向に移動する扉体１が、建物内を第１側と第２側とに仕切る壁体に形成された開口部を開閉するようになっている。壁体内には開口部に隣接して戸袋部２が形成されており、開口部開放時には、扉体１が戸袋部２に収容される。
【００１６】
図１、図２に示すように、開口部は、高さ方向に延びる戸先側縦枠３と、高さ方向に延びる方立４と、上枠５の一方の半部と、床面ＦＬとから囲まれた空間から形成されている。図５に示すように、戸先側縦枠３は、開口高方向に延びる部材であり、第１側、第２側にそれぞれ面する見付面３０と、見付面３０間を接続する見込面３１とを備え、見込面３１には、開口部全閉時には、扉体１の戸先側端部が当接する凹部３２が形成されている。
【００１７】
図３に示すように、上枠５は、第１側の第１見付面５０と、第２側の第２見付面５１と、上面５２と、第１見付面５０、第２見付面５１の下端の各下面５３と、からなり、扉体１の上端部位が、下面５３間に形成された開口を通って上枠５内に位置している。第２見付面５１を形成するパネルの裏面側には開口幅方向に延びるレール１０が設けてあり、扉体１の上端に設けた吊持ローラ１１がレール１０上を転動することで、扉体１が移動するようになっている。
【００１８】
図５に示すように、戸袋部２は、第２側の側壁２０と第１側の側壁２１と、側壁２０、２１間に形成された扉体１の収納空間２２とを備えおり、収納空間２２の出入口は、第１側と第２側の一対の方立４の間に形成されており、収納空間２２の底部は、戸尻側縦枠６によって形成されている。
【００１９】
図５に示すように、戸尻側縦枠６は、収納空間２２の高さ方向に延びる部材であり、第１側、第２側にそれぞれ位置する見付面６０と、各見付面６０の開口部側の端部同士を結ぶ見込面６１と、から平面視略コ字形状を備えており、見込面６１が開口部側に位置し、各見付面が開口部から離間する方向に延びる姿勢で設けてあり、見込面６１が戸袋部２の収納空間の底面を形成している。開口部全開時には、扉体１の戸尻側端部の戸当りゴム１２が戸尻側縦枠６の見込面６１に当接する。
【００２０】
本実施形態では、上枠５の第１見付面５０はメンテナンス用の点検パネルから構成されており、戸先側縦枠３と方立４間に延びる幅寸法を備えており、第１側の方立４は上枠５の上面５２に達する高さ寸法を備えている（図１）。上枠５の第２見付面５１は戸先側縦枠３と戸尻側縦枠６間に延びる幅寸法を備えており、第２側の方立４は上枠５の下面５３に達する高さ寸法を備えている（図２）。図１、図４に示すように、上枠５の上面５２の第１側の端部には、方立４と戸尻側縦枠６間で水平に延びる上横枠５４が設けてある。図２、図４に示すように、上枠５の第２見付面５１を構成するパネルの下端には、方立４と戸尻側縦枠６間で水平に延びる上横枠５５が設けてある。
【００２１】
各側壁２０、２１は、方立４と、戸尻側縦枠６と、方立４と戸尻側縦枠６間に異なる高さ位置で連結された複数本の横枠とを備えている。本実施形態では、横枠は、上横枠５４、５５と、３本の中桟７と、巾木８である。各側壁２０、２１は、方立４、戸尻側縦枠６、上横枠５４、５５と、各側壁２０、２１毎に３本の中桟７と、巾木８からそれぞれ４つの四周枠部が形成されている（図１、図２参照）。各側壁２０、２１は、さらに、各四周枠部に囲まれた空間に取り付けられた４枚の方形のパネル９を備えている。尚、中桟７の本数やパネル９の枚数は限定されない。各側壁２０、２１は、さらに、四周枠部とパネル９から構成された構造体の外側に設けられた壁体ボード２３を備えている。戸尻側縦枠６の開口部から遠い側には、内側ボード２４が設けてある（図５参照）。
【００２２】
方立４は開口高方向に延びる部材であって、図５、図１１に示すように、第１側ないし第２側にそれぞれ面する第１見付面４０と、第１見付面４０の開口部に近い側から見込方向に延び、開口部に面する第１見込面４１と、第１見付面４０の開口部から遠い側から戸袋部２の収納空間２２に向かって見込方向に延びる第２見込面４２と、からなる平面視略コ字形状の凸状部を備え、凸状部の収納空間２２に面する部位が出入口を形成しており、出入口には消音材２５が高さ方向に亘って設けてある。戸袋部２の施工後には壁体ボード２３が設けられるため、方立４において、第１見付面４０、第１見込面４１、第２見込面４２の一部のみが外部に露出する（図５参照）。
【００２３】
方立４は、さらに、第２見込面４２の戸袋部２の収納空間２２側の端部から開口部から離れる方向に延びる第２見付面４３と、出入口から第２見付面４３に対向して開口部から離れるように見付方向に延びる内側面４４と、第２見付面４３の開口部から遠い側の端部と内側面４４の開口部から遠い側の端部を見込方向に結ぶ第３見込面４５とを備えている。
【００２４】
方立４は、さらに、第３見込面４５から開口部から離れる方向に延びる第１見付片４６、第１見付片４６の先端の見込片４７、見込片４７の先端から第１見付片４６に対向するように開口部側へ延びる第２見付片４８と、を備えている。各方立４の第１見付片４６、見込片４７、第２見付片４８は被取付片を形成している。
【００２５】
各方立４の被取付片（第１見付片４６、見込片４７、第２見付片４８）と戸尻側縦枠６（見付面６０）の間には、上横枠５４、５５と、３本の中桟７と、巾木８が高さ方向に間隔を存して水平状に取り付けられており、高さ方向に４つの四周枠部を形成し、各四周枠部に方形状のパネル９が取り付けられている（図１、図２参照）。パネル９の外側には、さらに、壁体ボード２３が設けられ、壁体ボード２３が第１側、第２側に直接面している。戸袋部２の側壁２０、２１の構造体である四周枠部及びパネル９は鋼製であり、四周枠部の開口をパネル９で塞ぐことによって、火災時に壁体ボード２３が燃焼した場合であっても、第１側と第２側を貫通する孔が形成されないようになっている。
【００２６】
図６、図７に示すように、中桟７は、戸袋部２の幅方向に延びる長尺部材である。図６、図７に示す中桟７は実質的に同じ断面形状を有しており、見付面７０と、見付面７０の上端の水平状の中間上面７１と、中間上面７１から垂直に立ち上がる上側見付面７２と、上側見付面７２の上端の水平状の上片７３と、見付面７０の下端の水平状の中間下面７４と、中間下面７４から垂下する下側見付面７５と、下側見付面７５の下端の水平状の下面７６と、下面７６から垂直に立ち上がる下側立ち上がり片７７と、からなる。見付面７０の幅方向の両端部位には、螺子Ｓの挿通孔７０２が形成されている。中間上面７１には、幅方向に間隔を存して２つのスリット状の長孔部７８が形成されている。長孔部７８の個数は限定されない。
【００２７】
図６の中桟７では左側が戸尻側で、右側が戸先側であり、図７の中桟７では左側が戸先側で、右側が戸尻側である。中桟７は、戸先側端部が方立４に固定され、戸尻側端部が戸尻側縦枠６に固定される。中桟７の戸尻側部位において、見付面７０の戸尻側端面７０１は、上側見付面７２の戸尻側端縁７２１、下側見付面７５の戸尻側端縁７５１よりも戸尻側に位置している。なお、上側見付面７２の戸尻側端縁７２１と、下側見付面７５の戸尻側端縁７５１が、見付面７０の戸尻側端面７０１と一致していてもよい。
【００２８】
図６は、側壁２０を形成する中桟７を示し、戸先側部位において、上側見付面７２、下側見付面７５に対して縦長方形状の塞ぎプレート７９が固定されている。塞ぎプレート７９の側縁７９０は、見付面７０の戸先側端縁７００よりも戸先側に位置しており、上縁７９１は、水平状の上片７３よりも上側に位置しており、下縁７９２は、水平状の下面７６よりも下側に位置している。
【００２９】
図７は、側壁２１を形成する中桟７を示し、中桟７の戸先側部位において、上側見付面７２の戸先側端縁７２０、下側見付面７５の戸先側端縁７５０は、見付面７０の戸先側端縁７００よりも戸先側に位置している。さらに、中桟７の下側見付面７５の戸先側端縁７５０は、上側見付面７２の戸先側端縁７２０よりも戸先側に位置しており、中桟７の戸先側端部の突出部が形成されている。なお、逆に、中桟７の上側見付面７２の戸先側端縁７２０を、下側見付面７５の戸先側端縁７５０よりも戸先側に位置させてもよく、あるいは、図７の態様において、上側見付面７２の戸先側部位を延ばして、上側見付面７２の戸先側端縁７２０を下側見付面７５の戸先側端縁７５０と一致させてもよい。側壁２０を形成する中桟７に代えて、あるいは、加えて、側壁２１を形成する中桟７の戸先側端部に塞ぎプレートを設けてもよい。
【００３０】
方立４の被取付片（第１見付片４６、見込片４７、第２見付片４８）は、中桟７が連結される部位において上下２箇所において切欠かれている。図９、図１０において、切欠き部を参照番号４６０で示す。中桟７の戸先側部位において、上側見付面７２の戸先側部位と、下側見付面７５の戸先側部位は切欠き部４６０に位置しており、上下の切欠き部４６０の間に残っている方立４の第２見付片４８に、中桟７の見付面７０の戸先側部位が、螺子Ｓで固定されている。
【００３１】
中桟７の戸先側部位の取り付けにおいて、図６に示す側壁２０を形成する中桟７においては、戸先側端部には、見付面７０と塞ぎプレート７９の間に空間が形成されており、かかる空間に上下の切欠き部４６０の間に残っている方立４の第２見付片４８を挿入させることで、取り付け時の作業性を向上させている。図７に示す側壁２１を形成する中桟７においては、戸先側端部の突出部を方立４の第３見込面４５に形成したスリット４５０に挿入することで、取り付け時の作業性を向上させている。
【００３２】
図６に示す側壁２０を形成する中桟７、図７に示す側壁２１を形成する中桟７の戸尻側部位の取り付けにおいて、上側見付面７２の戸尻側端縁７２１、下側見付面７５の戸尻側端縁７５１を戸尻側縦枠６の見込面６１に当接させた状態で、見付面７０を見付面６０に離間対向させて螺子Ｓで固定されている。なお、中桟７の長さ方向両端部の固定（具体的には、戸先側部位と方立４の固定、戸尻側部位と戸尻側縦枠６の固定）の構成は図示の態様に限定されない。
【００３３】
方立４の下方部位と戸尻側縦枠６の下方部位との間には、水平状に延びる巾木８設けてある。図４に示すように、巾木８は、第１側、第２側の各見付面８０と、見付面８０の上端の水平片８１と、水平片８１から垂直に立ち上がる立ち上がり片８２と、立ち上がり片８２の上端の水平状の上片８３と、各見付面８０の下端を連結する下面８４と、からなる。水平片８１には、幅方向に間隔を存して２つの長孔部（図示せず）が形成されている。長孔部の構成については、中桟７の長孔部７８の説明を援用することができる。巾木８の下面８４は、床面ＦＬ上に載置された状態で止着部材で床面ＦＬに固定されている。
【００３４】
図８に示すように、パネル９は、横長方形状の面部９０と、面部９０の上端の水平状の上端面９１と、上端面９１から垂下する上側垂下片９２と、面部９０の下端の水平状の下端面９３と、下端面９３から垂直状に立ち上がる下側垂直片９４と、面部９０の幅方向両端の左右の側端面９５と、側端面９５から面部９０に対向するように延びる側方見付片９６と、からなる。パネル９の下端面９３には、下側垂直片９４の下端に位置してスリット９３０が形成されており、下側垂直片９４の内面に固定したプレート９７の下端がスリット９３０を通して下端面９３から下方に垂直に延びることで、パネル９の下端面９３から下方に突出する突出部９８が形成されている。本実施形態では、２つの突出部９８を設けたが、突出部９８の数は限定されず、１つでも、３つ以上でもよい。なお、突出部９８を形成する構成は上記態様に限定されない。例えば、プレートを側面視Ｌ形状のプレートから構成して、プレートの垂下片から突出部９８を形成してもよく、あるいは、パネル９の下端面９３の下面に突出部９８を別体であるいは一体的に設けてもよい。
【００３５】
パネル９において、面部９０の上端部位、上端面９１、上側垂下片９２からパネル９の上側の縁部が形成されており、面部９０の下端部位、下端面９３、下側垂直片９４からパネル９の下側の縁部が形成されており、面部９０の幅方向両端部位、側端面９５、側方見付片９６からパネル９の側方の縁部が形成されている。
【００３６】
各パネル９は、方立４、戸尻側縦枠６、上横枠５４、５５と、３本の中桟７と、巾木８から形成される４つの四周枠部に取り付けられる。パネル９の面部９０の上端部位には、幅方向に間隔を設けて螺子Ｓ用の３つの孔９００が形成されている。各パネル９は、上側の縁部を各四周枠部の上側の横枠（上横枠５４、５５、中桟７）に螺子Ｓで固定し、下側の縁部を各四周枠部の下側の横枠（中桟７、巾木８）に、当該下側の横枠の長さ方向に移動可能な状態で係止される。
【００３７】
本実施形態に係る４枚のパネル９の取り付けについて説明する。本実施形態では、パネル９は、方立４、戸尻側縦枠６、上側の上横枠５４、５５、下側の中桟７から形成された四周枠部、方立４、戸尻側縦枠６、上側の中桟７、下側の中桟７から形成された四周枠部、方立４、戸尻側縦枠６、上側の中桟７、下側の巾木８から形成された四周枠部、に取り付けられるが、いずれも、パネル９の下端側を下側の横枠（中桟７、巾木８）に係止させた状態で、パネル９の上端側を上側の横枠（上横枠５４、５５、中桟７）に螺子Ｓで固定するようになっており、基本的な取付態様は同じである。
【００３８】
上端及び中間のパネル９の下端側を中桟７に取り付ける際には、パネル９の下端面９３から突出する突出部９８を、下側の中桟７の中間上面７１の長孔部７８（図６、図７参照）に上方から差し入れて係止させ、パネル９の下端面９３を中桟７の中間上面７１に当接せる（図４参照）。同様に、下端のパネル９の下端側を巾木８に取り付ける際には、パネル９の下端面９３から突出する突出部９８を、巾木８の水平片８１の長孔部８１０に係止させ、パネル９の下端面９３を巾木８の水平片８１に当接せる（図４参照）。
【００３９】
下端及び中間のパネル９の上端側を中桟７に取り付ける際には、パネル９の下端面９３を下側の中桟７の中間上面７１あるいは巾木８の水平片８１に当接させた状態で、パネル９の上側垂下片９２を、上側の中桟７の下側見付面７５に当接させ、面部９０の上端部位を、上側の中桟７の下側立ち上がり片７７に当接させた状態で、面部９０の上端部位と上側の中桟７の下側立ち上がり片７７を螺子Ｓで固定する。パネル９が上側の中桟７と下側の中桟７間に取り付けられた状態で、パネル９の上端面９１と中桟７の中間下面７４は離間している。同様に、上端のパネル９の上端側を上横枠５４、５５に取り付ける際には、パネル９の下端面９３を中桟７の中間上面７１に当接させた状態で、パネル９の上側垂下片９２を、上横枠５４、５５の見付面５４０、５５０に当接させ、面部９０の上端部位を、上横枠５４、５５の立ち上がり片５４１、５５１に当接させた状態で、面部９０の上端部位と立ち上がり片５４１、５５１を螺子Ｓで固定する。
【００４０】
中桟７の中間上面７１の長孔部７８の寸法（中桟７の長さ方向）は、パネル９の突出部９８の幅寸法（パネル９の幅方向の寸法）よりも所定寸法（クリアランス）だけ大きく、パネル９の下端の突出部９８がこのクリアランスを可動範囲として長孔部７８内をパネル９の幅方向に移動可能となっている。長孔部７８の溝幅寸法は突出部９８の厚さよりも僅かに大きくなっており(左右方向の移動を許容する程度)、パネル９の下端部のパネルの厚さ方向の移動が規制されている。巾木８の水平片８１の長孔部とパネル９の下端の突出部９８の関係についても、上記記載を援用することができる。
【００４１】
図５上図に示すように、パネル９の面部９０の戸先側部位の内面は方立４の第２見付片４８に当接しており、戸先側の側方見付片９６は、方立４の第１見付片４６に当接している。パネル９の戸先側の側端面９５と方立４の第３見込面４５とは離間しており、戸先側の側端面９５の外側にはクリアランスＣ１が形成されている。パネル９の戸尻側の側方見付片９６は戸尻側縦枠６の見付面６０に当接しており、戸尻側の側端面９５と戸尻側縦枠６の開口部から遠い側に配置された内側ボード２４の端面とは離間しており、戸尻側の側端面９５の外側にはクリアランスＣ２が形成されている。したがって、四周枠部に取り付けられたパネル９の左右方向の変位が許容されている。パネル９の戸先側見込面（戸先側の側端面９５）と方立４の見込面（第３見込面４５）はクリアランスＣ１によって離間しており、パネル９の戸尻側見込面（戸尻側の側端面９５）と内側ボード２４の端面とはクリアランスＣ２によって離間している（図１３に示す従来例の構成とは対照的である）。
【００４２】
方立４の第３見込面４５とパネル９の戸先側の側端面９５の間にクリアランスＣ１を設けたことによって、正面視において、高さ方向に延びるクリアランスＣ１が露出する。かかるクリアランスＣ１は方立４の第１見付片４６によって塞がれるが、第１見付片４６は中桟７を取り付ける部位において切欠かれており、切欠き部４６０が形成されているため、中桟７を取り付けた状態で４つの隙間Ｃ３が生じ得ることになる（図９参照）。この隙間Ｃ３は、第２側の側壁２０と第１側の側壁２１とにおいて同じ位置に形成されるため第１側と第２側を貫通する孔が形成されることになる。この隙間Ｃ３によって形成される貫通孔は壁体ボード２３によって覆われるが、火災時、地震時等において仮に壁体ボード２３が燃焼ないし破損したとしても、本実施形態では、側壁２０を形成する中桟７の戸先側部位に固定した塞ぎプレート７９によって側壁２０に形成される隙間Ｃ３を塞ぐことで、第１側と第２側を貫通する孔が形成されることを防止し、火災の延焼を防止できる。なお、側壁２０を形成する中桟７に代えて、あるいは、加えて、側壁２１を形成する中桟７の戸先側端部に塞ぎプレートを設けてもよい。
【００４３】
本実施形態では、戸袋部２の側壁２０、２１の構成要素であるパネル９及び四周枠部において、パネル９を四周枠部に固定する箇所を各パネル９の上側の縁部のみとし、パネル９の幅方向両端の側方の縁部は、四周枠部に固定せずに、方立４および内側ボード２４とクリアランスＣ１、Ｃ２を設けて配置し、パネル９の下側の縁部は、中桟７または巾木８に設けた横方向の長孔部７８にパネル９下端に設けた突出部９８を挿入することで、パネル９下部が厚さ方向に移動して四周枠部から外れることを防止すると共に、パネル９の上側の横枠と下側の横枠の間の横方向のずれを突出部９８が長孔部７８内で横方向にズレることで吸収するようにしている。
【００４４】
したがって、戸袋部２の側壁２０、２１を形成する四周枠部の開口をパネル９で塞ぐ構造でありながら、側壁２０、２１の面内方向に力が加わった時に、四周枠部がほぼ平行四辺形に変形することを許容することで、地震時等に、四周枠部を構成する部材（例えば、戸尻側縦枠６）と壁体の補強部材との接続部（例えば、溶接部）が破壊されることを防止する。
【００４５】
戸袋部２の側壁２０、２１を構成するパネル９の枚数は問わないが、中桟７を介して高さ方向に隣接して設けられる各パネル９の高さ寸法を小さくすることで、同じ面内変形であっても、１枚のパネル９の上下での変形量の差が小さくすることができるので、パネル９の枚数を多くすることで（例えば、３枚ないし４枚のパネル９を採用する）、方立４とパネル９のクリアランスＣ１、パネル９と内側ボード２４とのクリアランスＣ２、長孔部７８の長さを小さく設計することが可能となる。
【符号の説明】
【００４６】
１  扉体
２  戸袋部
２０  側壁
２１  側壁
２２  収納空間
４  方立（第１縦枠）
４６  第１見付片（中桟の端部の固定片を形成する）
４６０  切欠き部（横枠受け入れ用空間）
５４  上横枠（横枠）
５５  上横枠（横枠）
６  戸尻側縦枠（第２縦枠）
７  中桟（横枠）
７８  長孔部
７９  塞ぎプレート
８  巾木（横枠）
９  パネル
９８  突出部
Ｃ１  戸先側のクリアランス（空間）
Ｃ２  戸尻側のクリアランス（空間）
Ｃ３  隙間
Ｓ  螺子
【図１】
2020029737.tif 000003
【図２】
2020029737.tif 000004
【図３】
2020029737.tif 000005
【図４】
2020029737.tif 000006
【図５】
2020029737.tif 000007
【図６】
2020029737.tif 000008
【図７】
2020029737.tif 000009
【図８】
2020029737.tif 000010
【図９】
2020029737.tif 000011
【図１０】
2020029737.tif 000012
【図１１】
2020029737.tif 000013
【図１２】
2020029737.tif 000014
【図１３】
2020029737.tif 000015